(57)【要約】  【課題】本発明は、複数の個別帳票体の丁合後に当該個別帳票体同士のマッチングを行うための丁合帳票体及び丁合帳票体の丁合処理システムに関し、丁合対象の個別帳票体の枚数によらず、丁合マッチングの判別を確実とさせることを目的とする。  【解決手段】各個別帳票体１２Ａ〜１２Ｄのそれぞれに、マッチング検査用として重ね合わせの状態で同位置となるマーク領域１４Ａ〜１４Ｄが設けられ、マーク領域１４Ａ〜１４Ｄには複数の磁性を帯びない磁性体（１４Ａ１，１４Ａ２，１４Ａ３）を形成させ、丁合対象の個別帳票体１２Ａ〜１２Ｄのマーク領域１４Ａ〜１４Ｄと重ね合わせ状態で同位置となる何れかの磁性体（１４Ａ１，１４Ａ２，１４Ａ３）を帯磁させる構成とする  【選択図】  図１
2008201015.tif 000002
【特許請求の範囲】
【請求項１】
それぞれ対応付けられた複数の個別帳票体が重ね合わされて丁合され、丁合後に各個別帳票体の正規な丁合か否かを判別させる丁合帳票体であって、
前記各個別帳票体のそれぞれに、マッチング検査用として重ね合わせの状態で同位置となるマーク領域が設けられ、各個別帳票体のマーク領域には複数の磁性を帯びない磁性体が形成されると共に、丁合対象の個別帳票体の前記マーク領域と重ね合わせ状態で同位置となる何れかの磁性体が帯磁されることを特徴とする丁合帳票体。
【請求項２】
それぞれ対応付けられた複数の個別帳票体が重ね合わされて丁合され、丁合後に各個別帳票体の正規な丁合か否かを判別させる請求項１記載の丁合帳票体に対して丁合マッチングに関する丁合帳票体の丁合処理システムであって、
前記丁合帳票体における各個別帳票体のマーク領域の各磁性体に対して、帯磁されている磁性体を検出する当該各磁性体の位置に対応した磁気センサと、
前記磁気センサで検出した帯磁された磁性体の検出位置により各個別帳票体が正規に丁合されているか否かを判別する丁合判別手段と、
を有することを特徴とする丁合帳票体の丁合処理システム。
【請求項３】
請求項２記載の丁合帳票体の丁合処理システムであって、前記個別帳票体に対して、前記マーク領域の帯磁されていない磁性体のうち、丁合対象と重ね合わせ状態で同位置とされる所定の磁性体を帯磁させる帯磁手段を備えることを特徴とする丁合帳票体の丁合処理システム。
【発明の詳細な説明】
【技術分野】
【０００１】
本発明は、複数の個別帳票体の丁合後に当該個別帳票体同士のマッチングを行うための丁合帳票体及び丁合帳票体の丁合処理システムに関する。
【背景技術】
【０００２】
近年、例えば複数枚の個別帳票体を丁合した際、又は丁合後に封緘体に封入した後に、個別先に配送することが行われ、各個別帳票体が正しく丁合されているかを検査することが行われている。このような、各個別帳票体の丁合後の重ねられた丁合帳票体を検査するにあたって各個別帳票体の丁合状態を確実に判別する必要があると共に、確実に判別させる個別帳票体を容易に作製されることが望まれる。
【０００３】
従来、丁合後に各個別帳票体同士のマッチングを行うために、各個別帳票体にそれぞれマッチングのためのマークや符号を付しておき、マークや符号を認識することでマッチングの正否を判別することが一般的に行われている。このような各個別帳票体に付すマッチングのためのマークや符号について、以下の特許文献で提案されているものがある。
【０００４】
【特許文献１】特許第３０９８５５７号公報
【０００５】
上記特許文献では、丁合される各シートの、それぞれ丁合後の重ならない位置に照合記号（バーコード）を付すもので、当該照合記号が金属または金属粉入りインキで印刷し、当該照合記号をＸ線透過による検査装置により読み取ってマッチング検査を行うことが提案されている。また、インキの他に、導電粉末入りのトナーを定着させる技術も提案されている。
【発明の開示】
【発明が解決しようとする課題】
【０００６】
上記特許文献で提案されているように、各シートに照合記号（バーコード）を形成させるに際して、Ｘ線で検出可能な金属または金属粉入りインキで印刷を行うことによって可変的データを容易に照合記号として形成させることができるものであるが、インキ内に含ませる金属または金属粉の量はインキという特性上限度があって丁合させるシートの枚数が多くなると、下層の照合記号が認識されないか、または誤認識する場合も生じてくる。
【０００７】
そこで、本発明は上記課題に鑑みなされたもので、丁合対象の個別帳票体の枚数によらず、丁合マッチングの判別を確実とさせる丁合帳票体及び丁合帳票体の丁合処理システムを提供することを目的とする。
【課題を解決するための手段】
【０００８】
上記課題を解決するために、請求項１の発明では、それぞれ対応付けられた複数の個別帳票体が重ね合わされて丁合され、丁合後に各個別帳票体の正規な丁合か否かを判別させる丁合帳票体であって、前記各個別帳票体のそれぞれに、マッチング検査用として重ね合わせの状態で同位置となるマーク領域が設けられ、各個別帳票体のマーク領域には複数の磁性を帯びない磁性体が形成されると共に、丁合対象の個別帳票体の前記マーク領域と重ね合わせ状態で同位置となる何れかの磁性体が帯磁される構成とする。
【０００９】
請求項２の発明では、それぞれ対応付けられた複数の個別帳票体が重ね合わされて丁合され、丁合後に各個別帳票体の正規な丁合か否かを判別させる請求項１記載の丁合帳票体に対して丁合マッチングに関する丁合帳票体の丁合処理システムであって、前記丁合帳票体における各個別帳票体のマーク領域の各磁性体に対して、帯磁されている磁性体を検出する当該各磁性体の位置に対応した磁気センサと、前記磁気センサで検出した帯磁された磁性体の検出位置により各個別帳票体が正規に丁合されているか否かを判別する丁合判別手段と、を有する構成とする。
【００１０】
請求項３の発明では、前記個別帳票体に対して、前記マーク領域の帯磁されていない磁性体のうち、丁合対象と重ね合わせ状態で同位置とされる所定の磁性体を帯磁させる帯磁手段を備える構成である。
【発明の効果】
【００１１】
請求項１の発明によれば、各個別帳票体のそれぞれに、マッチング検査用として重ね合わせの状態で同位置となるマーク領域が設けられ、マーク領域には複数の磁性を帯びない磁性体を形成させ、丁合対象の個別帳票体のマーク領域と重ね合わせ状態で同位置となる何れかの磁性体を帯磁させる構成とすることにより、丁合対象の個別帳票体の枚数によらず、丁合マッチングの判別を確実とさせることができるものである。
【００１２】
請求項２、３の発明によれば、各個別帳票体のそれぞれに、マッチング検査用として重ね合わせの状態で同位置となるマーク領域に磁性を帯びない複数の磁性体が形成され、マーク領域の丁合対象の個別帳票体と同位置とされる何れかの磁性体に、適宜本システムの備える帯磁手段により帯磁されて丁合された丁合帳票体に対して、それぞれの個別帳票体の帯磁された磁性体を磁気センサにより検出させ、検出位置により各個別帳票体が正規に丁合されているか否かを判別させることにより、丁合対象の個別帳票体の枚数によらず、丁合マッチングの判別を確実に行うことができるものである。
【発明を実施するための最良の形態】
【００１３】
以下、本発明の最良の実施形態を図により説明する。
図１に、本発明に係る丁合帳票体の構成図を示す。図１（Ａ）、（Ｂ）において、丁合帳票体１１は、例えば所定の個別明細や個別案内を配送する帳票に適用させる場合とし、ここでは４種類の個別帳票体（第１帳票体１２Ａ〜第４帳票体１２Ｄ）が丁合されたものとして示している。第１帳票体１２Ａには、配送先の住所、氏名等の所定の情報１３が印刷される。また、当該第１帳票体１２Ａと丁合される第２帳票体１２Ｂ以降の個別帳票体にも所定内容のものが適宜印刷される。なお、個別帳票体は、紙、樹脂等を基体としてシートの他に、冊子状のものやパンフレット等をも含む概念である。
【００１４】
また、第１帳票体１２Ａ〜第４帳票体１２Ｄのそれぞれに、マッチング検査用として重ね合わせの状態で同位置となるマーク領域１４Ａ〜１４Ｄが設けられ、各第１帳票体１２Ａ〜第４帳票体１２Ｄのマーク領域１４Ａ〜１４Ｄには複数の磁性を帯びない磁性体が形成される。形成の手法は問わない。磁性体としては、強磁性体が好ましく、鉄、ニッケル、コバルト及びこれらを含む合金や酸化物のものが使用される。
【００１５】
そして、丁合対象の第１帳票体１２Ａ〜第４帳票体１２Ｄのマーク領域１４Ａ〜１４Ｄと重ね合わせ状態で同位置となる何れかの磁性体が帯磁される。上記第１帳票体１２Ａを例にとると、図１(Ｂ)に示すように、例えばマーク領域１４Ａ〜１４Ｄに形成された３つの磁性体１４Ａ１，１４Ａ２，１４Ａ３のうち、磁性体１４Ａ１のみを帯磁させている。
【００１６】
同様に、第２帳票体１２Ｂ〜第４帳票体１２Ｄの各マーク領域１４Ｂ〜１４Ｄに形成されたそれぞれ３つの磁性体（１４Ｂ１〜１４Ｂ３，１４Ｃ１〜１４Ｃ３，１４Ｄ１〜１４Ｄ３）のうち、磁性体（１４Ｂ１，１４Ｃ１，１４Ｄ１）のみが帯磁されることで、これら第１帳票体１２Ａ〜第４帳票体１２Ｄが丁合されたときに、正規な丁合として、帯磁された磁性体（１４Ａ１，１４Ｂ１，１４Ｃ１，１４Ｄ１）がそれぞれ重ね合わせ状態で同位置となるものである。
【００１７】
また、図２に、本発明に係る丁合帳票体の他の構成図を示す。図２において、丁合帳票体２１は、個別帳票体２２Ａ〜２２Ｄのそれぞれを、例えばＺ折りとする場合を示したもので、折り位置に応じてマーク領域の形成位置を決定している。すなわち、各個別帳票体（第１帳票体２２Ａ〜第４帳票体２２Ｄ）をＺ折りとさせる第１折り片〜第３折り片に対して、Ｚ折り後の各個別帳票体が丁合されたときに重なる位置にそれぞれマーク領域１５Ａ〜１５Ｄが形成される。
【００１８】
各マーク領域１５Ａ〜１５Ｄには複数の磁性を帯びない磁性体が形成され、第１帳票体２２Ａ〜第４帳票体２２Ｄの各マーク領域１５Ａ〜１５Ｄに形成されたそれぞれ３つの磁性体（図示しない１５Ａ１〜１５Ａ３，１５Ｂ１〜１５Ｂ３，１５Ｃ１〜１５Ｃ３，１５Ｄ１〜１５Ｄ３）のうち、磁性体（１４Ｂ１，１４Ｃ１，１４Ｄ１）のみを帯磁された後にＺ折りに加工して重ね合わされることによって丁合される。
【００１９】
そして、これらＺ折り加工された第１帳票体２２Ａ〜第４帳票体２２Ｄが丁合されたときに、正規な丁合として、帯磁された磁性体（図示しない１５Ａ１，１５Ｂ１，１５Ｃ１，１５Ｄ１）がそれぞれ重ね合わせ状態で同位置となるものである。なお、図示しないが、最上部となる第１帳票体２２Ａの最上の折り片には、上記第１帳票体１２Ａと同様に、宛先等の個別の情報１３が別途印刷される。また、個別帳票体を折り込んで丁合する場合として、二つ折りの場合でも同様である。
【００２０】
ここで、図３に、図１の丁合帳票体の作製の説明図を示す。ここでは、図１に対応した場合を示すが、図２の丁合帳票体に対しても同様である。図３(Ａ)は、第１帳票体１２Ａの場合を示したもので、第１連続体３０Ａに対応数の第１帳票体１２Ａを作製するものとして、個別毎に対応した丁合帳票体１１Ａ，１１Ｂ，・・・の第１帳票体１２Ａとなる各区画に個別情報の宛先等の情報（１３）が印刷され、さらに例えばスクリーン印刷等によりマーク領域１４Ａに３つの磁性を帯びていない磁性体（１４Ａ１，１４Ａ２，１４Ａ３）が形成される。
【００２１】
そして、帯磁手段２０により、当該帯磁手段２０若しくは第１連続体３０Ａの何れかが可動（相対的に可動）される状態で、丁合対象と同位置とされるマーク領域１４Ａの帯磁されていない磁性体（１４Ａ１，１４Ａ２，１４Ａ３）のうち、例えば磁性体１４Ａ１を帯磁させる。例えば、磁性体１４Ａ１から、順次磁性体１４Ａ２、磁性体１４Ａ３へと帯磁させ、これを繰り返す形態で帯磁させる。したがって、図では、丁合帳票体１１Ａとなる第１帳票体１２Ａと丁合帳票体１１Ｄとなる第１帳票体１２Ａの、帯磁される磁性体１４Ａ１の位置が同位置となる。丁合帳票体として隣接した帳票体が紛れ込む可能性が高いことから、帯磁対象を最低３つの位置の繰り返しとしても有効的にマッチング検査を行うことができるものである。
【００２２】
同様に、図３(Ｂ)に示すように、第２帳票体１２Ｂとなる第２連続体３０Ｂ、第３帳票体１２Ｃとなる第３連続体３０Ｃ及び第４帳票体１２Ｄとなる第４連続体３０Ｄに対して、個別毎に対応した丁合帳票体１１Ａ，１１Ｂ，・・・の第１帳票体（１２Ａ，２２Ａ）となる各区画に個別情報（１３）の宛先等が印刷されてマーク領域１４Ｂ，１４Ｃ，１４Ｄにそれぞれ３つの磁性を帯びていない磁性体（図示しない１４Ｂ１〜１４Ｂ３，１４Ｃ１〜１４Ｃ３，１４Ｄ１〜１４Ｄ３）が形成される。
【００２３】
そして、帯磁手段２０により、マーク領域１４Ｂ〜１４Ｄの丁合対象と同位置とされる帯磁されていない磁性体のうち、例えば磁性体１４Ｂ１，１４Ｃ１，１４Ｄ１を帯磁させるものである。そして、各連続体を個別毎の丁合帳票体１１Ａ，１１Ｂ，・・・単位で断裁して丁合することにより、図１(Ａ)に示す丁合帳票体１１となるものである。
【００２４】
このように、丁合対象の個別帳票体１２Ａ〜１２Ｄ，２２Ａ〜２２Ｄのマーク領域１４Ａ〜１４Ｄ，１５Ａ〜１５Ｄと重ね合わせ状態で同位置となる磁性体１４Ａ，１４Ｂ１，１４Ｃ１，１４Ｄ１を帯磁させることから、丁合対象の個別帳票体の枚数によらず、丁合マッチングの判別を確実とさせることができるものである。
【００２５】
次に、図４に、本発明に係る丁合帳票体の丁合処理システムのブロック構成図を示す。図４において、丁合処理システム３１は、制御処理部３２、磁気センサ３３、表示手段３４及び管理情報ＤＢ（管理情報データベース）３５を含んで構成される。ここでは、帯磁手段２０をも含む構成としている。
【００２６】
上記磁気センサ３３は、丁合帳票体における各個別帳票体のマーク領域の各磁性体に対して、帯磁されている磁性体を検出するもので、当該各磁性体の位置に対応して配置される。当該磁気センサ３３として、例えば、磁気インピーダンス効果（ＭＩ）センサや磁気抵抗効果（ＭＲ）センサなどで実現することができ、他に磁気検知することができるセンサであれば何れでもよい。上記管理情報ＤＢ３５は、氏名、住所等の顧客情報、顧客毎の印刷情報、顧客毎に割り当てられる管理符号等の個別情報が記憶されている。
【００２７】
上記制御処理部３２は、制御手段４１、バス４２、インタフェース（ＩＦ）４３、ＲＯＭ４４、ＲＡＭ４５、丁合判別手段４６及び出力手段４７を適宜備える。上記制御手段４１は、当該システムをアルゴリズム処理により統括的に制御するもので、そのためのプログラムがＲＯＭ４４に備えられている。上記ＲＡＭ４５は、一時記憶のためのメモリであり、丁合判別ためのメモリ領域等の各種プログラムの作業領域となる半導体メモリや仮想的に設定されるハードディスクである。
【００２８】
上記丁合判別手段４６は、磁気センサ３３で検出した帯磁された磁性体の検出位置により各個別帳票体が正規に丁合されているか否かを判別するプログラムであり、ＲＡＭ４５に展開されて実行される。そして、上記出力手段４７は、丁合判別手段４６による丁合判別の結果を表示手段３４に出力して表示させるための電子回路等である。
【００２９】
そこで、図５に丁合帳票体の丁合正規時のマッチング説明図を示すと共に、図６に丁合帳票体の丁合異常時のアンマッチング説明図を示す。図５（Ａ）において、丁合帳票体１１が図１（Ａ）に示すように、各個別帳票体１２Ａ〜１２Ｄのマーク領域１４Ａ〜１４Ｄにおける磁性体１４Ａ１，１４Ｂ１，１４Ｃ１，１４Ｄ１に帯磁されて丁合されていた場合、磁気センサ３３において各磁性体の磁気が検出されると、図５（Ｂ）に示すように、重ね合わされた同位置の当該磁性体１４Ａ１，１４Ｂ１，１４Ｃ１，１４Ｄ１の位置のみの磁力が検知される。
【００３０】
すなわち、磁性体１４Ａ１，１４Ｂ１，１４Ｃ１，１４Ｄ１の位置のみの磁力が検知されて、他の重ね合わされた帯磁されていない磁性体が検知されないこととなり、丁合判別手段４６において正規の丁合であることを判別し、適宜表示手段３４に表示させるものである。
【００３１】
一方、図６（Ａ）において、例えば、丁合された丁合帳票体１１Ａの個別帳票体１２Ａ〜１２Ｄのうち、上から３枚目の個別帳票体１２Ｃに、他の丁合帳票体１１Ｂの個別帳票体１２Ｃが紛れて丁合されていた場合、磁気センサ３３において各磁性体の磁気が検出されると、図６（Ｂ）に示すように、重ね合わされた同位置の当該磁性体１４Ａ１，１４Ｂ１，１４Ｄ１の位置と磁性体１４Ｃ２の位置との磁力が検知されることとなる。この場合、個別帳票体１２Ｃ（１１Ｂ）の磁性体１２Ｃ２の磁力は、磁性を帯びていない上層の磁性体１２Ｂ２，１２Ａ２に誘起されて、磁気センサ３３に容易に検知させることができるものである。すなわち、２カ所の磁性体位置で磁力が検知されることとなることから、丁合判別手段４６において異常の丁合であることを判別し、適宜表示手段３４に表示させるものである。
【００３２】
このように、丁合対象の個別帳票体１２Ａ〜１２Ｄ，２２Ａ〜２２Ｄの帯磁された磁性体を磁気センサにより検出させ、検出位置により各個別帳票体が正規に丁合されているか否かを判別させることにより、丁合対象の個別帳票体の枚数によらず、丁合マッチングの判別を確実に行うことができるものである。
【００３３】
ところで、上述では、丁合帳票体１１を、丁合時に丁合マッチングする場合を示したが、丁合帳票体１１を、例えば封緘体内に封入した後であっても、当該封緘体を通して磁力を検知することができることから、同様に丁合対象の個別帳票体の枚数によらず、丁合マッチングの判別を確実に行うことができるものである。また、下層の個別帳票体が紛れて丁合が異常である場合に、帯磁された磁性体が磁性（磁力）を、磁性を帯びていない磁性体の存在により容易に検知させることができるものである。
【産業上の利用可能性】
【００３４】
本発明の丁合帳票体及び丁合帳票体の丁合処理システムは、個別帳票体を複数丁合した後の個別帳票体同士のマッチングを照合する場合に適する。
【図面の簡単な説明】
【００３５】
【図１】本発明に係る丁合帳票体の構成図である。
【図２】本発明に係る丁合帳票体の他の構成図である。
【図３】図１の丁合帳票体の作製の説明図である。
【図４】本発明に係る丁合帳票体の丁合処理システムのブロック構成図である。
【図５】丁合帳票体の丁合正規時のマッチング説明図である。
【図６】丁合帳票体の丁合異常時のアンマッチング説明図である。
【符号の説明】
【００３６】
１１，２１      丁合帳票体
１２，２２      個別帳票体
１４，１５      マーク領域
２０            帯磁手段
３１            丁合処理システム
３２            制御処理部
３３            磁気センサ
４６            丁合判別手段
【図１】
2008201015.tif 000003
【図２】
2008201015.tif 000004
【図３】
2008201015.tif 000005
【図４】
2008201015.tif 000006
【図５】
2008201015.tif 000007
【図６】
2008201015.tif 000008